(57)【要約】生体認証により認証された個人によってのみ排他的に開くことができるスマート財布が示される。スマート財布は、さらにスマート財布が失われるか盗まれるかすることを防ぐためにその上にセキュリティシステムを関連させる。システムは、接近距離検出能力を持つスマート財布装置に周期的な無線伝送を送るように構成されたフォブキーを含む。様々な実施例は、認証、電池電力、距離検出のための可聴表示、視覚表示および振動表示を含んでいる。【選択図】図２Ａ
2010539591.tif 000002
【特許請求の範囲】
【請求項１】
開放位置；
保護位置；および
財布に前記保護位置から前記開放位置まで移行することを許可する生体認証を提供する生体認証読取り器（３１０、４１０、５１０）
を含むことを特徴とするスマート財布（１１１、３００、５００）。
【請求項２】
左側部；および
右側部、蝶番（３８０、４８０、５８０）によって接続されている前記左側部および前記右側部
を含むことを特徴とする請求項１記載のスマート財布。
【請求項３】
相対電池強度を表示するＬＥＤ（３２O、３１５、４２０、５２０）をさらに含むことを特徴とする請求項１記載のスマート財布。
【請求項４】
前記財布の内部にプラスチックサポートクリップ（３６０、４６０、５６０）をさらに含み、前記プラスチックサポートクリップが個人名刺を受けるように構成されていることを特徴とする請求項１記載のスマート財布。
【請求項５】
第１のＲＦユニット（２０５）；
スマート財布追跡システム：を含み、前記追跡システムが、
別の第２のＲＦユニット（２１５）、互いに電子伝送（１１５）を送受信するように構成された前記第１および第２のＲＦユニットを含むフォブ（１１２、６００、７００）を含み、前記フォブおよびスマート財布が所定距離に離されたときに前記フォブが可聴表示（２１１、６１６、７１６）を提供することを特徴とする請求項１記載のスマート財布。
【請求項６】
前記財布の内側部分をさらに含み、前記内側部分が紙幣およびクレジットカードの取出しを容易にするための基礎起伏（４５５、４５６、５５５）を含むことを特徴とする請求項１記載のスマート財布。
【請求項７】
前記財布の内側部分をさらに含み、前記内側部分が名刺（５６１）またはクレジットカードの保管のためのカードホルダ（５６９）を含み、前記カードホルダが前記カードの取出しを容易にする角度オフセットを持つことを特徴とする請求項１記載のスマート財布。
【請求項８】
ポリカーボネート−ＡＢＳ混合；および
スチレン−アクリロニトリル材料をさらに含むことを特徴とする請求項１記載のスマート財布。
【請求項９】
電子送受信能力を持つ財布（１１１、３００、５００）を提供すること；
前記財布からの電子信号を送受信するフォブキー（１１２、６００、７００）を提供すること；
前記送受信電子信号（１１５）を使用して前記財布が前記フォブキーから所定距離内にあるかどうかを決定すること；および
前記フォブキーおよび前記財布が前記所定距離を超えていることが検出されたならば可聴表示すること（２０１、２１１、６１６、７１６）
を含むことを特徴とする財布を保護する方法。
【請求項１０】
閉鎖位置の前記財布を外れ止めすること；
制御信号によって電子的に前記外れ止めを制御すること：および
生体認証的に前記外れ止めの制御を認証すること（３１０、４１０、５１０）
をさらに含むことを特徴とする請求項９記載の財布を保護する方法。
【請求項１１】
前記財布から分離して保持され、前記財布と前記フォブキーとが互いに電子信号（１１５）を送受信することができ、接近距離が前記財布と前記フォブキーとの間で決定できるフォブキー（１１２、６００、７００）；および
前記接近距離が所定距離を超えたときにユーザに警告を出す可聴表示（２０１、２１１、６１６、７１６）
を含むことを特徴とする財布（１１１、３００、５００）を保護するためのシステム。
【請求項１２】
前記財布が、さらに：
開放位置；
保護位置；および
前記財布に前記保護位置から前記開放位置まで移行することを許可する生体認証を提供する生体認証読取り器（３１０、４１０、５１０）
を含むことを特徴とする請求項１１記載の財布を保護するためのシステム。
【請求項１３】
前記フォブが、ねじ式蓋（６８５、７８５）を含む電池室（６８６、７８６）をさらに含むことを特徴とする請求項１１記載の財布を保護するためのシステム。
【請求項１４】
前記フォブが、前記フォブを携帯電話機（６９０、７９０）に貼付するための自己粘着剤（７８７）をさらに含むことを特徴とする請求項１１記載の財布を保護するためのシステム。
【請求項１５】
前記フォブが、キーチェーンに付けるための輪（１１３）をさらに含むことを特徴とする請求項１１記載の財布を保護するためのシステム。
【発明の詳細な説明】
【技術分野】
【０００１】
優先権の主張
本特許出願は、２００７年９月１４日に出願された米国仮特許出願連続番号第６０／９７２,６０８号の優先日の利益を主張する主題を含んでいる。従って、この仮特許出願の全内容は、本出願に参照によって明らかに組み込まれる。
【背景技術】
【０００２】
本発明の技術分野
本発明は、一般に、改善されたセキュリティ機能を備えた財布または二つ折り札入れに関する。より具体的には、本発明は、電子機能を使用する間に財布を保護するためのシステムおよび方法に関する。しかし、本発明は、特に排他的ではなく、スマート財布システム、ならびに生体認証および電子信号を送受信する能力を含む拡張機能を備えた方法として有用である。
【０００３】
従来技術の記載
電子装置および処理が普及している時代に、安全防衛データは重要な問題になっており、それにより、無数のセキュリティシステムを生み出している。一般に使用されているセキュリティシステムのうちの２つは、パスワードおよび個人認証（ＰＩＮ）システムである。パスワードシステムは、認証装置にユーザ名およびパスワード（両者はユーザに固有である）を提供することをユーザに要求する。他方、ＰＩＮシステムは、認証目的のために、ＰＩＮコードと通常呼ばれるコードを提供することをユーザに通常要求する。パスワードおよびＰＩＮシステムの両者は、パスワードまたはＰＩＮコードを忘れた場合にユーザにとって面倒であることが判明する。さらに、もしユーザＡがユーザＢのパスワードまたはＰＩＮコード（任意に与えられたか、他の手段によって開発されたかのどちらか）を入手したならば、ユーザＡは、容易に別のユーザＢになりすますことができる。セキュリティのそのような違反を回避する１つの方法は、認証のための手段としてユーザに基づいた生理的または行動的特性を実装することである。これが、バイオメトリックスの背後にある一般概念である。
【０００４】
バイオメトリックスは、測定可能な生物的特性に関する研究である。コンピュータセキュリティでは、バイオメトリックスは、自動的に調べることができる測定可能な生理的（例えば、顔、指紋、手、虹彩あるいはＤＮＡ）、または行動的（例えば、キーストローク、署名あるいは音声）特性に依存する認証技術を指す。
【０００５】
上記の説明では、認証は、生体認証付き装置によって通常遂行される。生体認証付き装置の機能性の一般的な説明は、以下の通りである。最初に、生体認証付き装置は、特性のプロフィールを保管される。また、次に、獲得したプロフィールの比較は、格納されたプロフィールまたはテンプレートでなされる。最後に、キャプチャおよび格納されたプロフィールの照合に成功すると、ユーザは、認証を要求するアプリケーションシステムと接続される。
【０００６】
指紋に基づく認証：最も一般的な生体認証技術のうちの１つは、指紋である。そこでは、ユーザは、指紋のコピーを走査し、入力指紋が同一人物に対応する格納された指紋と一致するかどうかの比較が認証装置によって行われる。いくつかの指紋認証装置は、本当でない指紋による誤認証によって提起された問題を解決するために脈拍を調べる１工程をさらに提供する。
【０００７】
掌形に基づく認証：認証問い合わせシステムは、スキャナによってユーザの手および指の物理的特性をキャプチャし、同一ユーザの格納されたテンプレートと照合される。認証が成功すると、（安全ドアを開けるような）行為が問い合わせシステムによって行われる。
【０００８】
網膜走査に基づく認証：スキャナは、弱強度光を使用して、近距離でユーザの網膜（眼球の黒目の最内側膜を形成するイメージ）を走査し、眼署名を作成する。イメージは、さらに格納された網膜のテンプレートと照合される。また、特定動作は、認証が成功すると行われる。しかしながら、ユーザが正確に焦点を合わせることに失敗すると、不正確な結果が得られることに留意すべきである。
【０００９】
虹彩走査に基づく認証：虹彩スキャナは、虹彩（眼着色部）の固有なランダムパターンを走査し、獲得したパターンの整合性を格納されたパターンのそれと比較することに基づいてユーザを認証する。網膜走査と異なり、近距離相互作用は必要ではない。
【００１０】
顔認識に基づく認証：顔認識システムは、ユーザの顔のイメージを走査してキャプチャし（ユーザの顔の特徴）、それを同一ユーザの格納された静的顔イメージと比較する。認証が成功すると、特定動作が顔認識システムによって行われる。
【００１１】
署名照合に基づく認証：この認証技術は、ユーザの署名を記録するために圧力感応ペンおよびタブレットを利用する。その後、システムは、それを同一ユーザに対応する署名の格納されたサンプルと比較し、認証すると特定動作を行う。
【００１２】
音声認識に基づく認証：この技術における認証は、（ユーザに関係している）微弱で、従って複製可能でない音声およびスピーチの特性の認識に基づく。音声認識システムは、一般的には、ユーザの音声テンプレートの格納のために、より多くのメモリを必要とする。
【００１３】
したがって、バイオメトリックスは、認証およびセキュリティに重大な役割を果たし始めている。バイオメトリックスは、（パスワード、ＰＩＮなどのような）思い出すことができるものに基づかずにユーザを認証するが、認証を行うためにユーザの特性（あるいは、ユーザが誰であるか）をむしろ使用する。
【００１４】
財布も、従来から知られている。いくつかの例は、財布および札入れの組合せと名称を付けられたニルンベルガーへの米国特許番号第５,６５３,２７６号、および財布セキュリティと名称を付けられたホーンへの米国特許出願公開番号第２００６／０２７３１２９号を含んでいる。
【００１５】
さらに最近、ブルートゥース（Ｂｌｕｅｔｏｏｔｈ）、ＺｉｇＢｅｅ（ＩＥＥＥ８０２．１５．４）のような最新の短距離低電力技術を利用する、電子追跡および在庫システムにおける改良が提案された。しかしながら、生体認証および電子追跡を提供する、人の財布に特に対処する同様の提案は行われていない。
【００１６】
上記に照らして、本発明の１つの目的は、非所有者が装置にアクセスするのを防ぐために生体認証に基づく認証モジュールを提案するスマート財布、すなわちｉＷａｌｌｅｔを提供することである。本発明のさらなる目的は、耐タンパ性および耐水性の保護財布を提供することである。本発明のさらなる目的は、保護財布および対応するフォブキーがあらかじめ選ばれた距離から外れたときに、例えば表示を備えるために電子送受信能力をスマート財布に提供することである。本発明のさらなる目的は、携帯電話機上または中に、あるいは代わりにキーチェーンに適合するように構成されたフォブキー装置を提供することにある。本発明の追加目的は、パーソナルまたはラップトップコンピュータによって装置にデータを検索し、保存し、およびプログラムすることができるように、保護財布にＵＳＢポートを備えることにある。本発明のまた別の目的は、簡単に使用することができ、実装が容易で、比較的費用効果があるスマート財布システムおよび方法を提供することにある。
【００１７】
発明の要約
本発明は、特に上記に言及された欠点に対処および緩和する。より具体的には、本発明は、開放位置；保護位置；および財布に保護位置から開放位置まで移行することを許可する生体認証を提供する生体認証読取り器を含むスマート財布に関する。
【００１８】
スマート財布は、第１の態様において、左側部、右側部、ならびに蝶番によって接続されている左側部および右側部を持つことをさらに特徴とする。好適な実施例は、また、相対電池強度を表示するＬＥＤを持つ。さらに、スマート財布は、財布の内部にプラスチックサポートクリップを含み、プラスチックサポートクリップは個人名刺を受けるように構成されている。
【００１９】
スマート財布は、スマート財布追跡システムの一部でもある。これについては、スマート財布は、第１のＲＦユニットを含む；また、追跡システムは、さらに別の第２のＲＦユニットを備えるフォブを含んでいる。第１および第２のＲＦユニットは、各々の前記ユニットからの電子伝送を送受信するように構成されている。フォブは、フォブおよびスマート財布が所定距離に離される場合の可聴表示を備える。
【００２０】
しかし、スマート財布の別の物理的な特徴は、紙幣およびクレジットカードの取出しを容易にするために、財布の内側部分が基礎起伏を含むということである。さらに、内側部分は、名刺またはクレジットカードの保管のためのカードホルダを含んでいる。また、カードホルダは、前記カードの取出しを容易にするための角度オフセットを含む。スマート財布は、ポリカーボネート−ＡＢＳ混合；およびスチレン−アクリロニトリル材料を含むように、さらに考慮されている。
【００２１】
第２の態様では、本発明は、財布を保護する方法であり、この方法は、電子送受信能力を持つ財布を提供すること；財布からの電子信号を送受信するフォブキーを提供すること；送信および受信電子信号を使用して財布がフォブキーから所定距離内にあるかどうかを決定すること；そしてフォブキーおよび財布が所定距離を超えたことが検出されたならば可聴表示することを含む。
【００２２】
ここの方法は、閉鎖位置の財布を外れ止めすること、制御信号によって電子的に制御して外れ止めすること、また制御を認証すること、生体認証的に外れ止めすることをさらに含む。
【００２３】
第３の態様では、本発明は、財布とは別に保持されるフォブキー；および接近距離が所定距離を超えるときにユーザに警告を出す可聴表示を含む財布を保護するためのシステムである。ここで、財布およびフォブキーは、互いに電子信号を送受信することができ、財布とフォブキーとの間で接近距離を決定することができる。
【００２４】
本発明のシステムは、さらに財布が開放位置；保護位置；および財布に保護位置から開放位置まで移行することを許可する生体認証を提供する生体認証読取り器を含むという点でさらに特徴づけられる。
【００２５】
本発明のフォブキーは、ねじ式蓋を含む電池室を備える。自己粘着剤が、フォブを携帯電話機に貼付するために備えられている。選択肢として、本発明のフォブキーのすべてのハードウェアコンポーネントは、携帯電話機設計に組み入れられる。また、別の選択肢では、フォブは、キーチェーンに付けるための輪をさらに含む。
【００２６】
装置および方法が文法的な円滑さのために機能的な説明によって記述され、またされるだろう一方、請求項は、米国特許法第１１２条または同様の準拠法の下で明らかに系統立てて説明されなかったならば、「手段」あるいは「ステップ」の制限の構築による任意の方法で必要に応じて限定されたものとして解釈されないためにあり、しかし、均等論の法理下で、請求項によって提供された定義の意味および均等物の十分な範囲が認められるべきであり、また、請求項が米国特許法第１１２条の下で明らかに系統立てて説明されるときに、米国特許法第１１２条あるいは同様の準拠法の下で十分な法令による均等物と認められるべきであると明示的に理解されるべきである。本発明は、コンポーネントが数字によって参考される後に続く図面に向けることによって一層よく視覚化することができる。
【図面の簡単な説明】
【００２７】
本発明の新しい特徴は、本発明自体と同様に、その構造およびその動作の両方に関して、添付された明細書とともに得られた、同様の参照符号が同様の部分を指す添付図面から最も理解されるだろう：
【００２８】
【図１】本発明の財布を保護するためのシステムの概略説明図である；
【００２９】
【図２Ａ】本発明のスマート財布用のハードウェアコンポーネントのためのブロック図を示す；
【００３０】
【図２Ｂ】本発明のフォブキー用のハードウェアコンポーネントのためのブロック図を示す；
【００３１】
【図２Ｃ】本発明のスマート財布用のソフトウェアコンポーネントのためのブロック図を示す；
【００３２】
【図２Ｄ】本発明のフォブキー用のソフトウェアコンポーネントのためのブロック図を示す；
【００３３】
【図３Ａ】本発明のｉＷａｌｌｅｔとしても知られている第１の実施例に係るスマート財布の斜視図である；
【００３４】
【図３Ｂ】開放位置における第１の実施例に係るスマート財布の斜視図である；
【００３５】
【図３Ｃ】非閉鎖位置で内部に革製仕切りを持つ第１の実施例に係るスマート財布の斜視図である；
【００３６】
【図３Ｄ】本発明の第１の実施例に係るスマート財布の平面図である；
【００３７】
【図４Ａ】閉鎖（保護）位置の第２の実施例に係るスマート財布の斜視図である；
【００３８】
【図４Ｂ】開放位置における第２の実施例に係るスマート財布の斜視図である；
【００３９】
【図５Ａ】閉鎖位置における本発明の第３の実施例に係るスマート財布の斜視図である；
【００４０】
【図５Ｂ】開放位置における本発明の第３の実施例に係るスマート財布の斜視図である；
【００４１】
【図５Ｃ】図５Ａ中の切断線５Ｃ−５Ｃに沿った第３の実施例に係るスマート財布の横断面図である；
【００４２】
【図６Ａ】本発明の第１の実施例に係るフォブキーの斜視図である；
【００４３】
【図６Ｂ】本発明の好適な実施例に係る携帯電話機に貼付された第１の実施例に係るフォブキーの側面図である；
【００４４】
【図７Ａ】本発明の第２の実施例に係るフォブキーの斜視図である；
【００４５】
【図７Ｂ】本発明の好適な実施例に係る携帯電話機に貼付された第２の実施例に係るフォブキーの側面図である；そして
【００４６】
【図７Ｃ】装置の下方から本発明の自己粘着剤を示す第２の実施例に係るフォブキーの斜視図である。
【発明を実施するための形態】
【００４７】
まず、図１を参照すると、スマート財布追跡システム１００が示される。第一に、スマート財布１１１は、比較的低電力、比較的短距離、無線送信１１５能力を持って提供される。第二に、電子フォブ１１２も、スマート財布１１１から信号を送受信するように構成された無線伝送能力を持って提供される。例として、フォブキーは、輪１１３によってキーチェーン１１４と連結することができるか、あるいは、フォブキー１１２は、例えば図６Ａないし７Ｃに示されるような携帯電話機６９０中または上に構成するようにしてもよい。
【００４８】
システム１００は、財布１１１およびフォブ１１２が、例えば１０フィートの所定距離に離されたときに、システム１００が、財布１１１およびフォブ１１２の両者に音声および／または振動表示を提供するようにさらに構成される。音声表示は、例えば、ブザーまたはスピーカのような音声発生器２０１、２１１によって提供することができる。さらに、振動表示は、例えば、振動を引き起こすために不均衡な重りで構成された小型モータによって提供することができる。音声表示の主目的は、財布１１１が盗まれた場合に所有者に警告を出すことであり、そしてさらに、疑わしい窃盗後の瞬間に所有者に対して財布の方向を警告することである。
【００４９】
別の選択肢として、財布自体が単に受動ＲＦIＤだけを含んでいる一方、フォブ１１２は無線伝送能力を持って構成され、したがって、財布１１１が距離から外に出るときに、フォブキー１１２だけがユーザに警告を出すことができる。好適な実施例では、財布１１１およびフォブ１１２の距離決定は、フォブキー１１２および財布１１１の一方または双方から受信器によって検出された相対信号強度によってほぼ実現される。
【００５０】
図２Ａを参照すると、一般的なハードウェアコンポーネントのブロック図２００が示される。好適な実施例では、生体認証読取り器は、指紋モジュール２０３として実現される。マイクロプロセッサ２０４は、指紋モジュール２０３によるユーザの認証とともに、例えば音声発生器２０１および振動子２０２を用いて、距離検出の動作を制御する。セキュリティパラメータインデックス（ＳＰＩ）は、財布所有者の生体署名と関係している。マイクロプロセッサ２０４は、汎用入出力（ＧＰＩＯ）によって例えばアンテナ２０６を含む無線モジュール２０５と通信する。プロセッサ２０４および無線モジュール２０５の両者は、低電力消費で、そのような電子技術の最新進歩が一致していることが望ましい。さらに、無線モジュール２０５は、例えばブルートゥース（Ｂｌｕｅｔｏｏｔｈ）、ＺｉｇＢｅｅ（ＩＥＥＥ８０２．１５．４）、無線自動識別（ＲＦIＤ）、または超広帯域（ＵＷＢ）のいずれかによって定義されるような短距離低電力プロトコルによって構成される。
【００５１】
図２Ｂは、マイクロプロセッサ２１５が無線モジュールに統合されるフォブキーハードウェアブロック図２１０を示す。同様に、統合プロセッサおよび無線モジュール２１５は、音声発生器２１１および振動子２１２を制御し、またアンテナ２１６に電気的に接続される。
【００５２】
図２Ｃは、本発明のスマート財布１１１のためのソフトウェアブロック図２３０を示す。これ２３０は、登録、ログイン、認証、距離検出を含むアプリケーション２３１と、無線スタック２３３と、セキュリティライブラリ２３２と、生体認証ミドルウェア２３４と、オペレーティングシステム２３５と、デバイスドライバ２３６とを含む。オペレーティングシステム２３５は、プロセス間通信、メモリ管理、クロックおよびファイルシステムのようなサービスをすべて含んでいる。デバイスドライバ２３６は、無線通信、フラッシュ、Ｉ／Ｏポート、タイマ、指紋読取り器等を含んでいる。無線通信スタック２３３、生体認証ライブラリ（ミドルウェア）２３４およびセキュリティライブラリ２３２が、ＯＳ２３５上に搭載されている。アプリケーション層２３１は、例えば、同期、ユーザ登録、ユーザ認証および距離検出のようなアプリケーションを含んでいる。
【００５３】
図２Ｄは、本発明のフォブキー１１２のためのソフトウェアブロック図２４０を示す。これ２４０は、ペアリングおよび距離検出を含むアプリケーション２４１と、通信スタック２４２と、システムサービスおよびデバイスドライバ２４３とからなる。電子フォブキー１１２上のソフトウェアは、スマート財布１１１上のソフトウェアより単純である。したがって、フル装備のオペレーティングシステムは提供されず、その代わりに、各ソフトウェアモジュール２４１、２４２および２４３にＣＰＵのタイムスライスが与えられる単純ラウンドロビンループが提供される。
【００５４】
スマート財布の別の実施例３００は、閉鎖位置または保護位置で図３Ａ中に示される。示されるように、生体認証読取り器３１０は、財布３００にアクセスしようと試みる人の指紋を走査するように構成されている。ＬＥＤ３２０は、プロセッサ２０４が指紋をスマート財布３００の所有者と認める場合に、緑色光を発するように構成されている。また、成功した認証が受け取られるときに、音声発生器２０１からチャイムが発せられる。さらに、プロセッサ２０４が所有者と認めるもの以外の指紋を生体認証読取り器３１０が走査すると、ＬＥＤ３２０が赤色光を発し、音声発生器２０１が警報を発するように構成されている。またさらに、財布３００のための電池電力がしきい値レベル未満であるときに、ＬＥＤ３２０が黄色光を発し、音声発生器２０１が断続的なピーという音を発するように構成されている。好適な実施例では、財布電池電力の充電は、ＡＣ電源に接続する充電器にミニＵＳＢポート３３０を経由して行うことができる。あるいは、ＡＣアダプタのための個別のポートが、設計選択として提供されることができる。
【００５５】
財布３００は、耐タンパ性で、例えば指紋で生体認証的にだけ開く、たばこ入れと類似したものと評されてもよい。財布３００は、所有者自身によってのみ開くことができ；したがって、例えば財布の所有者が眠る間や浴室にいる間、子ども、配偶者、同居人などは、そのコンテンツへのアクセスを与えられない。
【００５６】
図３Ａは、またアンテナ３４０およびミニＵＳＢポート３３０を示す。図３Ｂないし３Ｄは、さらに様々な視点での財布３００を示す。開放位置における財布３００は、図３Ｂに示される。スマート財布３００の内部は、人が例えば個人名刺３６１を置くことができるプラスチックサポートクリップ３６０を、その左側部に表す。反対の右側部には、内側区画３５１および外側区画３５３を持つ革製仕切りが備えられている。内側区画３５１は、図３Ｃに示されるように、紙幣３５２を受けるように設計されている。外側区画３５３は、図３Ｂおよび３Ｄに示されるように、クレジットカード、あるいは同様のものを受けるように設計されている。財布３００を保護するために使用される外れ止め３７０も示されている。好適な実施例では、外れ止め３７０は、モータアクチュエータによって制御される；しかしながら、他のタイプのアクチュエータが採用されてもよい。アクチュエータの選択が何であっても、電源を切るように設計されており、それゆえ、スマート財布３００施錠機構は、電源が切れたとき、あるいはスタンバイモードで、施錠状態がデフォルトとして設定されている。好適な実施例では、外れ止め制御電力が外れ止めが外れるためだけに加えられるので、電池電力は最小化される。
【００５７】
図４Ａおよび４Ｂは、図１に元々示されたようなスマート財布の実施例１１１をさらに示す。ここで、代替外れ止め４７０の実施例が示されている。また、この実施例１１１は、図３Ａに示されるスマート財布３００とは、２つのＬＥＤ４１５および４２０を備える点で異なる。第１のＬＥＤ４２０は、電池電力表示専用であり、第２のＬＥＤ４１５は、生体認証アクセス表示を提供する。留意すべき他の物理的な特徴は、アンテナ４４０およびＵＳＢポート４３０である。さらに留意すべきは、カード４６１を受けるためのカードホルダ４６９、および紙幣４５２を保持するためのプラスチッククリップ４６０である。重要なことには、この実施例１１１は、財布１１１の内側部分に、カードの取出しを助ける基礎起伏４５６と同様に；紙幣４５２の取出しを助けるための基礎起伏４５５を含んでいる。さらに、財布１１１の内部は、蝶番４８０の周りに露出される。
【００５８】
さらにまた、本発明に係るスマート財布の別の実施例５００は、図５Ａないし５Ｃに示される。同様に、この実施例５００は、生体認証読取り器５１０に加えて、ＬＥＤ５２０、ＵＳＢポート５３０およびアンテナ５４０を含む。さらに同様に、財布５００の内側部分は、紙幣５５２を保護するためにクリップ５６０を含んでおり、それらの取出しを容易にするために基礎起伏５５５を備える。内側部分は、蝶番５８０の周りに形成される。しかしながら、この実施例５００は、カードホルダ５６９が、図５Ｂおよび５Ｃに示されるように、少し傾けてカード５６１を保持するという点で独特である。
【００５９】
図６Ａおよび６Ｂは、本発明のフォブキーのための別の実施例６００をさらに示す。しかし、この解決策は、適切な粘着剤７８７（図７Ｃ）によってフォブ６００を携帯電話機６９０と対にする。フォブ６００は、スピーカ６１６およびＬＥＤ６２０を持ち、さらに電池室６８６および電池室蓋６８５を含んでいる。ここに述べられたように、システム１００は、本発明のフォブ６００およびスマート財布１１１、３００、５００が、所定距離のほぼ外側である場合、フォブ６００が、視覚表示６２０と同様に、スピーカ６１６によって可聴表示を提供する。
【００６０】
またさらに、他のフォブキーの実施例７００は、図７Ａないし７Ｃに実現される。示されるように、フォブ７００は、蓋７８５を備える電池室７８６と同様に、音声発生器７１６、ＬＥＤ７２０を含む。図７Ｂは、本発明に係る携帯電話機７９０に貼付されたフォブ７００を示す。図７Ｃは、フォブ７００の真下にある見通しの良い位置からのフォブ７００の斜視図を示す。さらに、好適な実施例によれば、フォブ７００に結合される自己粘着剤７８７の第１面は比較的高結合材を含み；自己粘着剤７８７の第２面は比較的低結合材を含む。ハードウェアコンポーネントに適用可能なフォブキーが現存する携帯電話機と協働することがさらにまだ考えられ、携帯電話機には本発明に従って働くためにフォブキーに指示を与えるのに必要なソフトウェアが要求される。
【００６１】
述べたように、スマート財布１１１、３００、５００は、相互位置を監視し、離れたときにユーザに警告を出すために、別の小さなキーチェーンフォブ装置１１２または携帯電話機フォブ６００、７００と無線１１５で交信することができる電子個人金庫である。好適な実施例では、電子フォブキー６００および７００は、携帯電話送受話器６９０および７９０にそれを付けることができる小さな流線型のデザインを持つ。また、好適な実施例では、スマート財布１１１、３００、５００は、耐水性であり、さらに防水装置であるように改善することができる。またさらに、好適な実施例では、生体認証の入力に関連したセンサーは、財布１１１、３００、５００を生体認証なしの開放位置にせざるを得ないかどうかを決定することができる。したがって、財布がねじ回しでこじ開けられれば、音声発生器２０１によって警報が発せられるだろう。
【００６２】
本発明によって考慮された構成材料は、財布１１１、３００、５００のためにチタンを含んでいる。さらに、電池室６８６および７８６のための蓋５８５、６８５、７８５は、ポリカーボネート−ＡＢＳ混合で構成することができる。さらに、好適な実施例では、ＬＥＤ３２０、４２０、５２０、６２０、７２０は、その蓋用の半透明のスチレン−アクリロニトリル材質プラスチック（ＳＡＮ）を含んでいる。
【００６３】
ここに考慮された本発明の追加態様は、電池電力がもはや利用可能でない場合に、例えば、財布１１１、３００、５００へのアクセスを許可するためにピンを含むバイパス機能を含んでいる。さらに、ＵＳＢポート３３０および４３０は、コンピュータ装置に接続されたときに本発明のシステム１００をセットアップし、プログラムし、かつ監視するために使用することができる；そして、また、このように、システムは、財布１１１、３００、５００にアクセスする生体認証の試みのログを提供することができる。
【００６４】
多くの変更および修正が、本発明の趣旨および範囲から外れずに、当業者によって行われてもよい。したがって、図示された実施例が例のためにのみ述べられており、それが次の請求項によって定義されるような発明の制限として得られるべきでないことは理解されるに違いない。例えば、請求項の要素がある組合せで以下に述べられるにもかかわらず、本発明は、より少ない、より多い、またはそのような組合せの中で最初に開示されていなかったとしても、異なる要素の他の組合せを含んでいることが、明らかに理解されるに違いない。
【００６５】
ここに詳細に示され開示されたような特定のスマート財布は、目的を得ることが十分にでき、ここで先に述べた利点を備えるが、本発明の現時点での好適な実施例の単なる例証であり、添付された請求項に述べられた以外、ここに示された構成または設計の詳細に限定することを意図するものでないことが理解されなければならない。
【００６６】
今知られているかその後に考案される当業者によって見られるような要求された主題からの実質的でない変更は、請求項の等しい範囲内として明らかに考慮される。したがって、当業者によって今あるいは後に知られた明白な代用は、定義された要素の範囲内であると定義される。
【図１】
2010539591.tif 000003
【図２Ａ】
2010539591.tif 000004
【図２Ｂ】
2010539591.tif 000005
【図２Ｃ】
2010539591.tif 000006
【図２Ｄ】
2010539591.tif 000007
【図３Ａ】
2010539591.tif 000008
【図３Ｂ】
2010539591.tif 000009
【図３Ｃ】
2010539591.tif 000010
【図３Ｄ】
2010539591.tif 000011
【図４Ａ】
2010539591.tif 000012
【図４Ｂ】
2010539591.tif 000013
【図５Ａ】
2010539591.tif 000014
【図５Ｂ】
2010539591.tif 000015
【図５Ｃ】
2010539591.tif 000016
【図６Ａ】
2010539591.tif 000017
【図６Ｂ】
2010539591.tif 000018
【図７Ａ】
2010539591.tif 000019
【図７Ｂ】
2010539591.tif 000020
【図７Ｃ】
2010539591.tif 000021
【国際調査報告】
2010539591.tif 000022
2010539591.tif 000023